(57)【要約】      （修正有）【課題】蓋部材のロック及びロック解除の操作性に優れた飲料容器の栓体を提供する。【解決手段】容器本体ＣＢに装着される口栓部材１０と口栓部材１０に開閉可能に取り付けられた蓋部材２０と蓋部材２０を開閉させる開閉手段３０と蓋部材２０を閉状態にロックするロック手段４０とを備え、開閉手段３０は蓋部材２０に設けられた係止爪３１と係止爪３１に係合して蓋部材２０を全閉位置に位置決めする、係止爪３１に対する係合を解除可能に口栓部材１０に取り付けられた開閉操作部材３２とを有し、ロック手段４０は、一対のアーム部４４の先端で上下方向に回動可能に蓋部材２０の支持部２１ｃに支持された、下方に突出する突起４２及び前方に突出する操作突起４３を有するロック操作部材４１と蓋部材２０を閉じた状態でロック位置に回動させたロック操作部材４１の突起４２に係合する、開閉操作部材３２に形成された係合部４５とを備えている。【選択図】図６
0003178393.tif 000002
【実用新案登録請求の範囲】
【請求項１】
容器本体に装着される口栓部材と、
前記口栓部材にヒンジを介して開閉可能に取り付けられた蓋部材と、
前記蓋部材を開閉させる開閉手段と、
前記蓋部材を閉状態にロックするロック手段とを備え、
前記開閉手段は、前記蓋部材に設けられた係止部と、前記蓋部材を閉じることによって前記係止部に係合して前記蓋部材を全閉位置に位置決めする、前記係止部に対する係合を解除可能に前記口栓部材に取り付けられた開閉操作部材とを有し、
前記ロック手段は、ロック解除位置とロック位置との間で上下方向に回動可能に前記蓋部材に取り付けられた、前方に突出する操作突起及び下方に突出する突起を有するロック操作部材と、前記蓋部材を閉じた状態でロック位置に回動させた前記ロック操作部材の前記突起に係合して前記開閉操作部材による前記係止部に対する係合解除操作を不能とする、前記開閉操作部材に形成された係合部とを有し、
前記蓋部材は、前側の内周面に連設された、後方側に張り出す一対の支持部を有し、
前記ロック操作部材は、後方に張り出す一対のアーム部を有し、前記アーム部の先端部が前記支持部に回動可能に支持されていることを特徴とする飲料容器の栓体。
【請求項２】
前記蓋部材は、前記ロック操作部材の前記操作突起が、ロック解除位置とロック位置との間で上下動可能に突出する開口窓を有しており、
前記開口窓の側縁における上下方向の中間部には、前記開口窓の幅方向の内側に張り出す、前記操作突起が乗り越え可能な位置決め突起が形成されており、
前記位置決め突起が、前記操作突起をロック解除位置またはロック位置に位置決めするようになっている請求項１に記載の飲料容器の栓体。
【請求項３】
前記口栓部材には、上方に突出した有底筒状の口部が形成されており、
前記口部の底壁には、容器本体に収容された液体内容物を注出するための注出孔が形成されており、
前記蓋部材には、閉じたときに前記口部内に入り込む内栓が形成されており、
前記内栓には、蓋部材を閉じたときに、前記注出孔を閉塞するパッキンが設けられている請求項１または２に記載の飲料容器の栓体。
【考案の詳細な説明】
【技術分野】
【０００１】
この考案は、携帯用魔法瓶や水筒等の携帯用飲料容器に採用されている、容器本体に装着される口栓部材にヒンジを介して蓋部材が開閉可能に取り付けられた、直飲みタイプの飲料容器の栓体に関する。
【背景技術】
【０００２】
この種の栓体としては、例えば、特開２０１１−０９３５４４号公報に開示されたものがある。この栓体は、図１０（ａ）、（ｂ）に示すように、容器本体５１に装着される口栓部材５２と、この口栓部材５２の後部にヒンジを介して片開き可能に取り付けられた蓋部材５３と、この蓋部材５３を開閉させる開閉手段５４と、蓋部材５３を閉状態にロックするロック手段５５とを備えている。
【０００３】
前記開閉手段５４は、蓋部材５３に設けられた係止部５４ａと、蓋部材５３を閉じることによって係止部５４ａに係合して蓋部材５３を全閉位置に位置決めする開閉操作部材５４ｂとから構成されており、開閉操作部材５４ｂは、係止部５４ａに対する係合を解除することができるように、口栓部材５２に揺動自在に取り付けられている。
【０００４】
前記ロック手段５５は、ロック位置とロック解除位置との間で上下方向にスライド可能に蓋部材５３に取り付けられた、下方に突出する突起を有するロック操作部材５５ａと、蓋部材５３を閉じた状態でロック位置にスライドさせたロック操作部材５５ａの突起に係合して開閉操作部材５４ｂによる係止部５４ａに対する係合解除操作を不能とする、開閉操作部材５４ｂに形成された係合部５５ｂとから構成されており、ロック操作部材５５ａを上下方向にスライドさせることで、蓋部材５３を閉状態にロックしたり、そのロックを解除したりすることができるようになっている。
【先行技術文献】
【特許文献】
【０００５】
【特許文献１】特開２０１１−０９３５４４号公報
【考案の概要】
【考案が解決しようとする課題】
【０００６】
しかしながら、上述した栓体では、閉じた状態の蓋部材５３をロックしたり、そのロックを解除したりするには、ロック操作部材５５ａを上下方向にスライドさせなければならず、そのスライド抵抗が一般的に大きいので、操作性が悪いといった問題がある。
【０００７】
そこで、この考案の課題は、閉じた状態の蓋部材のロック及びロック解除の操作性に優れた飲料容器の栓体を提供することにある。
【課題を解決するための手段】
【０００８】
上記の課題を解決するため、請求項１に係る考案は、容器本体に装着される口栓部材と、前記口栓部材にヒンジを介して開閉可能に取り付けられた蓋部材と、前記蓋部材を開閉させる開閉手段と、前記蓋部材を閉状態にロックするロック手段とを備え、前記開閉手段は、前記蓋部材に設けられた係止部と、前記蓋部材を閉じることによって前記係止部に係合して前記蓋部材を全閉位置に位置決めする、前記係止部に対する係合を解除可能に前記口栓部材に取り付けられた開閉操作部材とを有し、前記ロック手段は、ロック解除位置とロック位置との間で上下方向に回動可能に前記蓋部材に取り付けられた、前方に突出する操作突起及び下方に突出する突起を有するロック操作部材と、前記蓋部材を閉じた状態でロック位置に回動させた前記ロック操作部材の前記突起に係合して前記開閉操作部材による前記係止部に対する係合解除操作を不能とする、前記開閉操作部材に形成された係合部とを有し、前記蓋部材は、前側の内周面に連設された、後方側に張り出す一対の支持部を有し、前記ロック操作部材は、後方に張り出す一対のアーム部を有し、前記アーム部の先端部が前記支持部に回動可能に支持されていることを特徴とする飲料容器の栓体を提供するものである。
【０００９】
また、請求項２に係る考案は、請求項１に係る考案の飲料容器の栓体において、前記蓋部材は、前記ロック操作部材の前記操作突起が、ロック解除位置とロック位置との間で上下動可能に突出する開口窓を有しており、前記開口窓の側縁における上下方向の中間部には、前記開口窓の幅方向の内側に張り出す、前記操作突起が乗り越え可能な位置決め突起が形成されており、前記位置決め突起が、前記操作突起をロック解除位置またはロック位置に位置決めするようになっていることを特徴としている。
【００１０】
また、請求項３に係る考案は、請求項１または２に係る考案の飲料容器の栓体において、前記口栓部材には、上方に突出した有底筒状の口部が形成されており、前記口部の底壁には、容器本体に収容された液体内容物を注出するための注出孔が形成されており、前記蓋部材には、閉じたときに前記口部内に入り込む内栓が形成されており、前記内栓には、蓋部材を閉じたときに、前記注出孔を閉塞するパッキンが設けられていることを特徴としている。
【考案の効果】
【００１１】
以上のように、請求項１に係る考案の飲料容器の栓体は、ロック手段を構成しているロック操作部材をロック位置とロック解除位置との間で上下方向に回動させるようになっているので、上下方向にスライドさせる場合に比べて操作抵抗が小さく、しかも、斜め上方に押し上げることで、ロック操作部材を上方側に移動させることができるので、ロック操作部材の操作性がよい。
【００１２】
また、この飲料容器の栓体では、蓋部材における前側の内周面に、後方側に張り出す一対の支持部を連設し、この一対の支持部に、ロック操作部材における後方に張り出す一対のアーム部の先端を回動可能に支持するようにしたので、構造が極めて簡単で、製造し易いという利点がある。
【００１３】
また、請求項２に係る考案の飲料容器の栓体は、蓋部材に形成された開口窓の側縁における上下方向の中間部に、操作突起が乗り越え可能な位置決め突起が形成されており、位置決め突起が、操作突起をロック解除位置またはロック位置に位置決めするようになっているので、意図しない状況でロックが解除されることがない。
【図面の簡単な説明】
【００１４】
【図１】（ａ）はこの考案に係る栓体の一実施形態が容器本体に装着された飲料容器を示す部分正面図、（ｂ）は同上の飲料容器を示す部分側面図である。
【図２】同上の栓体を示す斜視図である。
【図３】同上の栓体における蓋部材を開いた状態を示す斜視図である。
【図４】同上の栓体における蓋部材を開いた状態を示す平面図である。
【図５】同上の栓体を示す分解斜視図である。
【図６】同上の栓体における閉じた蓋部材のロックを解除した状態を示す断面図である。
【図７】同上の栓体における開閉手段による蓋部材の位置決めを解除した状態を示す断面図である。
【図８】同上の栓体における蓋部材を開いた状態を示す断面図である。
【図９】同上の栓体における閉じた蓋部材をロックした状態を示す断面図である。
【図１０】（ａ）は従来の栓体における閉じた蓋部材をロックした状態を示す断面図、（ｂ）は同上の閉じた蓋部材のロックを解除した状態を示す断面図である。
【考案を実施するための形態】
【００１５】
以下、実施の形態について図面を参照して説明する。図１（ａ）、（ｂ）は、この考案に係る栓体１が容器本体ＣＢに装着された飲料容器の上部を示している。
【００１６】
前記栓体１は、図２〜図５に示すように、容器本体ＣＢに装着される口栓部材１０と、この口栓部材１０にヒンジ１ａを介して開閉可能に取り付けられた蓋部材２０と、この蓋部材２０を開閉させる開閉手段３０と、蓋部材２０を閉状態にロックするロック手段４０とを備えており、蓋部材２０はヒンジ１ａ部分に取り付けられた一対のねじりバネ１ｂによって、常時、開方向に付勢されている。
【００１７】
前記口栓部材１０は、同図に示すように、容器本体ＣＢの小径の口部に螺合される円筒状のベース部材１１と、このベース部材１１に嵌着された、上下に区画する隔壁１３を有する筒状の口部材１２とを備えており、隔壁１３は、その前面側に容器本体ＣＢ内の液体飲料を注出するための注出孔１４が形成されている。
【００１８】
前記口栓部材１０を容器本体ＣＢの口部に装着した状態では、口部材１２の下半部が、容器本体ＣＢの口部内に入り込んでおり、口部材１２の下部外周面に形成されたフランジ部１５と、容器本体ＣＢの口部の基端部との間にリング状のパッキン１６を挟み込むことによって、口栓部材１０の口部材１２と容器本体ＣＢとがシールされるようになっている。
【００１９】
前記蓋部材２０は、図２〜図５に示すように、円形状の天板の周縁部に周壁が連設された蓋本体２１と、この蓋本体２１の天板の内面に固着された、蓋部材２０を閉じたときに口栓部材１０の口部材１２内に入り込む閉塞部２２と、この閉塞部２２に嵌着されるパッキン２３とを備えており、蓋部材２０を閉じたときに、パッキン２３が嵌着された閉塞部２２によって、口部材１２の隔壁１３に形成された注出孔１４が密閉されるようになっている。
【００２０】
前記開閉手段３０は、蓋部材２０における蓋本体２１の周壁の前面側に突出する左右一対の区画壁２１ａによって挟まれた収容部の下端部に形成された係止爪３１と、蓋本体２１の区画壁２１ａに対応するように、口栓部材１０におけるベース部材１１の前面側に突出する区画壁１１ａによって上部を除く三方が囲われた収容部内で、区画壁１１ａに揺動自在に軸支された、係止爪３１に係合可能な係合凹部３３を上部に有する開閉操作部材３２と、ベース部材１１の収容部と開閉操作部材３２との間に配設された、開閉操作部材３２における揺動軸３４よりも下側部分を外側（前方側）に付勢するコイルバネ３５とを備えており、開閉操作部材３２は、その係合凹部３３が形成された上部がベース部材１１の区画壁１１ａによって囲われた収容部の上方側に張り出している。
【００２１】
従って、開いた状態の蓋部材２０を閉じると、口栓部材１０に取り付けた開閉操作部材３２の係合凹部３３よりも上端側が、蓋部材２０に形成された係止爪３１に接触することによって、開閉操作部材３２の上端部が外側に押し広げられながら係止爪３１を乗り越えて係合凹部３３が係止爪３１に係合し、これによって蓋部材２０が全閉位置に位置決めされるようになっている（図６参照）。
【００２２】
また、蓋部材２０が全閉位置に位置決めされた状態で、図７に示すように、コイルバネ３５の付勢力に抗して開閉操作部材３２の下部を押し込むと、係止爪３１に対する係合凹部３３の係合が解除されるので、ねじりバネ１ｂの付勢力によって、蓋部材２０が全開位置まで開くようになっている（図８参照）。
【００２３】
前記ロック手段４０は、図２〜図５に示すように、蓋本体２１の左右一対の区画壁２１ａによって挟まれた収容部における係止爪３１の上側において、下位のロック位置と上位のロック解除位置との間で上下方向に回動可能に蓋部材２０に取り付けられた、下方に突出する突起４２、前方に突出する操作突起４３及び後方に張り出す左右一対のアーム部４４を有するロック操作部材４１と、蓋部材２０を全閉にした状態、即ち、開閉操作部材３２の係合凹部３３が係止爪３１に係合した状態で、ロック操作部材４１の突起４２に係合可能な、開閉操作部材３２の上端部に形成された係合部４５とを備えており、ロック操作部材４１は、左右一対のアーム部４４の先端部が、蓋部材２０における前側の内周面に連設された、後方側に張り出す左右一対の支持部２１ｃに回動可能に支持されている。
【００２４】
前記操作突起４３は、蓋本体２１に形成された左右一対の区画壁２１ａによって挟まれた領域を覆っている前面突出部２１ｂに形成された開口窓ｗから僅かに飛び出した状態となっており、この開口窓ｗによって、操作突起４３の移動範囲が設定され、これに伴って、ロック操作部材４１を、下位のロック位置と上位のロック解除位置との間で回動させることができるようになっている。
【００２５】
従って、蓋部材２０が全閉位置に位置決めされた状態で、操作突起４３を斜め下方に押し下げることによって、ロック操作部材４１をロック位置に回動させると、図９に示すように、突起４２が開閉操作部材３２の係合部４５に係合して開閉操作部材３２の揺動が規制され、逆に、操作突起４３を斜め上方に押し上げることによって、ロック操作部材４１をロック解除位置に回動させると、図６に示すように、係合部４３に対する突起４２の係合が解除され、開閉操作部材３２の揺動、即ち、開閉操作が許容されるようになっている。
【００２６】
また、蓋本体２１に形成された開口窓ｗの両側縁における上下方向の中間部には、開口窓ｗの幅方向の内側に張り出す、操作突起４３の両側縁が乗り越え可能な位置決め突起ｐが形成されており、この位置決め突起ｐの存在によって、下位のロック位置に回動させたロック操作部材４１が容易に上位のロック解除位置に回動したり、また、上位のロック解除位置に回動させたロック操作部材４１が容易に下位のロック位置に回動したりすることがなく、操作突起４３が下位のロック位置または上位のロック解除位置に位置決めされるようになっている。
【００２７】
以上のように、この栓体１では、ロック手段４０を構成しているロック操作部材４１をロック位置とロック解除位置との間で上下方向に回動させるようになっているので、上下方向にスライドさせる場合に比べて操作抵抗が小さく、しかも、操作突起４３を斜め上方に押し上げることで、ロック操作部材４１を上方側に移動させることができるので、ロック操作部材４１の操作性がよい。
【００２８】
また、この栓体１では、蓋部材２０における前側の内周面に、後方側に張り出す一対の支持部２１ｃを連設し、この一対の支持部２１ｃに、ロック操作部材４１における後方に張り出す一対のアーム部４４の先端を回動可能に支持するようにしたので、構造が極めて簡単で、製造し易いという利点がある。
【００２９】
また、この栓体１では、蓋部材２０に形成された開口窓ｗの側縁における上下方向の中間部に、操作突起４３の両側縁が乗り越え可能な位置決め突起ｐが形成されており、この位置決め突起ｐによって、操作突起４３がロック解除位置またはロック位置に位置決めされるようになっているので、意図しない状況でロックが解除されることがない。
【００３０】
また、この栓体１は、口栓部材１０が上方に突出する筒状の口部材１２を有しているので、蓋部材２０を開いて口部材１２に口を付けて容器本体ＣＢ内の飲料を直接飲むことができ、使い勝手がよい。
【産業上の利用可能性】
【００３１】
本考案は、携帯用魔法瓶や水筒等の携帯用飲料容器等の飲料容器の栓体として利用することができる。
【符号の説明】
【００３２】
１  栓体
１ａ  ヒンジ
１ｂ  ねじりバネ
１０  口栓部材
１１  ベース部材
１１ａ  区画壁
１２  口部材
１３  隔壁
１４  注出孔
１５  フランジ部
１６  パッキン
２０  蓋部材
２１  蓋本体
２１ａ  区画壁
２１ｂ  前面突出部
２１ｃ  支持部
２２  閉塞部
２３  パッキン
３０  開閉手段
３１  係止爪（係止部）
３２  開閉操作部材
３３  係合凹部
３４  揺動軸
３５  コイルバネ
４０  ロック手段
４１  ロック操作部材
４２  突起
４３  操作突起
４４  アーム部
４５  係合部
ＣＢ  容器本体
ｗ  開口窓
ｐ  突起
【図１】
0003178393.tif 000003
【図２】
0003178393.tif 000004
【図３】
0003178393.tif 000005
【図４】
0003178393.tif 000006
【図５】
0003178393.tif 000007
【図６】
0003178393.tif 000008
【図７】
0003178393.tif 000009
【図８】
0003178393.tif 000010
【図９】
0003178393.tif 000011
【図１０】
0003178393.tif 000012